(57)【要約】【課題】対象商品に貼付することなく装着して、宣伝広告効果を高めると共に、通信状態の悪化を防止する。【解決手段】ボトル容器２の首部に係止支持される係止装着部３と、ＲＦＩＤ識別用タグ部５とを備え、ボトル容器２の首部に係止装着された状態で、ＲＦＩＤ識別用タグ部５を、ボトル容器２から離れて位置させる。好ましくは、ＲＦＩＤ識別用タグ部５を係止装着部３に対して折曲げ起立させる。【選択図】図８
2020027126.tif 000002
【特許請求の範囲】
【請求項１】
ボトル容器の首部に装着される首掛けラベルであって、
前記ボトル容器の前記首部に係止支持される係止装着部と、ＲＦＩＤ識別用タグ部とを備え、
前記ＲＦＩＤ識別用タグ部は、前記係止装着部に対して折曲げ可能である、
ことを特徴とする首掛けラベル。
【請求項２】
ボトル容器の首部に装着される首掛けラベルであって、
前記ボトル容器の前記首部に係止支持される係止装着部と、ＲＦＩＤ識別用タグ部とを備え、
前記係止装着部が前記首部に係止装着された状態で、前記ＲＦＩＤ識別用タグ部が前記ボトル容器から離れて位置する、
ことを特徴とする首掛けラベル。
【請求項３】
前記ＲＦＩＤ識別用タグ部は、前記係止装着部に対して折曲げ起立可能である、
請求項１または２に記載の首掛けラベル。
【請求項４】
前記係止装着部は、前記ボトル容器の前記首部に周方向複数個所で係止される複数の係止舌片を有する、
請求項１ないし３のいずれか一項に記載の首掛けラベル。
【請求項５】
前記係止装着部は、容器上部の外表面に当接してラベル姿勢を保持する姿勢保持舌片を有する、
請求項１ないし４のいずれか一項に記載の首掛けラベル。
【請求項６】
前記姿勢保持舌片は、前記ＲＦＩＤ識別用タグ部の基端に連設され、前記ＲＦＩＤ識別用タグ部の折曲げ起立に伴って、下方に折り出される、
請求項５に記載の首掛けラベル。
【発明の詳細な説明】
【技術分野】
【０００１】
本発明は、ペットボトルやビンなどのボトル容器に装着される首掛けラベルに関する。
【背景技術】
【０００２】
近年、各種商品の在庫管理や精算処理、等の簡素化及び効率化を図るために、ＩＣチップとアンテナを内蔵したＲＦＩＤタグ等を媒体として、無線通信で情報の書き込み、読み出しを行う自動認識技術（ＲＦＩＤ：radio frequency identification）が利用されており、例えば、特許文献１に記載されているように、対象商品に貼付するＲＦＩＤラベルが提案されている。
【先行技術文献】
【特許文献】
【０００３】
【特許文献１】特許第４８２９２４２号公報
【発明の概要】
【発明が解決しようとする課題】
【０００４】
特許文献１に記載されているＲＦＩＤラベルは、宣伝、広告について、特段考慮されていない。また、この特許文献１のＲＦＩＤラベルは、接着剤を有する貼付部を有し、当該ラベルを対象商品に貼付するものであるので、対象商品を購入した消費者が、購入後に貼付されたラベルを外すのは容易でなく、対象商品のデザイン性を損なう場合があり、更に、例えば、期間限定でキャンペーンを行うような場合、短期間のキャンペーンのために、ラベルを貼り替えて対応するのは容易でない。
【０００５】
特許文献１に記載されているようなＲＦＩＤラベルを、ボトル容器に貼付する場合、ＲＦＩＤラベルを、ボトル容器における胴部の外周に貼付することが想定されるが、ＲＦＩＤラベルを、ボトル容器の胴部の外周に貼付すると、ボトル容器内に充填されている液体や金属製のボトル容器自体が、通信電波の障害となって通信状態が悪化するという難点がある。
【０００６】
本発明は、このような実情に着目してなされたものであって、対象商品に貼付することなく装着して、宣伝広告効果を高めると共に、通信状態の悪化を防止することを目的とする。
【課題を解決するための手段】
【０００７】
上記目的を達成するために、本発明では、次のように構成している。
【０００８】
（１）本発明に係る首掛けラベルは、ボトル容器の首部に装着される首掛けラベルであって、
前記ボトル容器の前記首部に係止支持される係止装着部と、ＲＦＩＤ識別用タグ部とを備え、前記ＲＦＩＤ識別用タグ部は、前記係止装着部に対して折曲げ可能である。
【０００９】
本発明によると、ボトル容器の首部に装着される首掛けラベルは、例えば、キャンペーンやキャッチコピー等の印刷が施されることによって、店頭で見る消費者に対してアイキャッチ効果や訴求効果をもたらすことができるため、宣伝広告効果を高めると共に、販売促進を図ることができる。
【００１０】
首掛けラベルは、ボトル容器の首部に係止装着されるので、ボトル容器に貼付されるラベルと異なり、当該ボトル容器を購入した消費者が、購入後に首掛けラベルをボトル容器から容易に外すことができ、ボトル容器のデザイン性を損なうことがなく、また、例えば、期間限定のキャンペーンを行うような場合には、ラベルを貼り替えるといった必要がなく、容易に対応することができる。
【００１１】
本発明によると、ＲＦＩＤ識別用タグ部は、ボトル容器の首部に係止支持される係止装着部に対して折曲げ可能であるので、当該首掛けラベルを、ボトル容器に装着した状態では、ＲＦＩＤ識別用タグ部を、ボトル容器の首部に係止支持された係止装着部に対して折曲げる、好ましくは、ボトル容器の胴部から離れる方向へ折曲げることで、ＩＣチップ及びアンテナを有するＲＦＩＤ識別用タグ部を、ボトル容器内に充填されている液体や金属製のボトル容器自体から離間させることができる。これによって、ボトル容器内に充填されている液体や金属製のボトル容器自体が通信電波の障害となって通信状態が悪化するのを防ぐことができる。
【００１２】
（２）本発明に係る首掛けラベルは、ボトル容器の首部に装着される首掛けラベルであって、
前記ボトル容器の前記首部に係止支持される係止装着部と、ＲＦＩＤ識別用タグ部とを備え、前記係止装着部が前記首部に係止装着された状態で、前記ＲＦＩＤ識別用タグ部が前記ボトル容器から離れて位置する。
【００１３】
本発明によると、ボトル容器の首部に装着される首掛けラベルは、例えば、キャンペーンやキャッチコピー等の印刷が施されることによって、店頭で見る消費者に対してアイキャッチ効果や訴求効果をもたらすことができるため、宣伝広告効果を高めると共に、販売促進を図ることができる。
【００１４】
首掛けラベルは、ボトル容器の首部に係止装着されるので、ボトル容器に貼付されるラベルと異なり、当該ボトル容器を購入した消費者が、購入後に首掛けラベルをボトル容器から容易に外すことができ、ボトル容器のデザイン性を損なうことがなく、また、例えば、期間限定のキャンペーンを行うような場合には、ラベルを貼り替えるといった必要がなく、容易に対応することができる。
【００１５】
本発明によると、当該首掛けラベルを、ボトル容器に装着した状態では、ＩＣチップ及びアンテナを有するＲＦＩＤ識別用タグ部がボトル容器から離れて位置するので、ボトル容器における胴部の外周に、ＲＦＩＤラベルを貼付した場合のように、ボトル容器内に充填されている液体や金属製のボトル容器自体が通信電波の障害となって通信状態が悪化するのを防ぐことができる。
【００１６】
（３）本発明の好ましい実施態様では、前記ＲＦＩＤ識別用タグ部は、前記係止装着部に対して折曲げ起立可能である。
【００１７】
この実施態様によると、ＩＣチップ及びアンテナを有するＲＦＩＤ識別用タグ部は、ボトル容器の首部に係止支持される係止装着部に対して折曲げ起立可能であるので、ＲＦＩＤ識別用タグ部を、係止装着部に対して折曲げ起立させることによって、ＲＦＩＤ識別用タグ部がボトル容器の上端近傍、すなわち、充填された内容物（液体）よりも高い位置において、小径の容器首部から外方に離れて位置することになる。これによって、ボトル容器内に充填されている液体や金属製のボトル容器自体による通信状態の悪化をより確実に防ぐことができる。
【００１８】
（４）本発明の他の実施態様では、前記係止装着部は、前記ボトル容器の前記首部に周方向複数個所で係止される複数の係止舌片を有する。
【００１９】
この実施態様によると、首掛けラベルを上方からキャップに押し付けて、係止舌片を変形させながら挿嵌することで、簡単に容器首部に係止装着することができる。
【００２０】
（５）本発明の更に他の実施態様では、前記係止装着部は、容器上部の外表面に当接してラベル姿勢を保持する姿勢保持舌片を有する。
【００２１】
この実施態様によると、係止舌片によって容器首部の所定高さ位置に係止された首掛けラベルは、姿勢保持舌片と容器外表面との当接によってその姿勢が安定保持されることになり、ＲＦＩＤ識別用タグ部を無線通信に好適な位置及び姿勢に保持しておくことができる。
【００２２】
（６）本発明の他の実施態様では、前記姿勢保持舌片は、前記ＲＦＩＤ識別用タグ部の基端に連設され、前記ＲＦＩＤ識別用タグ部の折曲げ起立に伴って、下方に折り出される。
【００２３】
この実施態様によると、姿勢保持舌片を下方に折り出す処理が不要となり、ラベル装着の前処理が簡素化される。
【発明の効果】
【００２４】
本発明によれば、消費者に対してアイキャッチ効果や訴求効果をもたらすことができるため、宣伝広告効果を高めると共に、販売促進を図ることができる。また、当該ボトル容器の購入後に、ラベルをボトル容器から外すときには、ボトル容器にラベルを貼付した場合に比べて、容易に外すことができるので、ボトル容器のデザイン性を損なうことがない。更に、例えば、期間限定のキャンペーン等を行う場合にも、ラベルの貼り替えの必要がなく、容易に対応することができる。
【００２５】
また、本発明によれば、ＩＣチップ及びアンテナを有するＲＦＩＤ識別用タグ部を、ボトル容器内に充填されている液体や金属製のボトル容器自体から離間させることができ、ボトル容器内に充填されている液体や金属製のボトル容器自体が通信電波の障害となって通信状態が悪化するのを防ぐことができる。
【図面の簡単な説明】
【００２６】
【図１】図１は首掛けラベルの製作工程を示す概略図である。
【図２】図２は第１実施形態の首掛けラベルを製作する積層シート材の平面図である。
【図３】図３は第１実施形態の首掛けラベルを製作する積層シート材を示す斜視図である。
【図４】図４は第１実施形態のラベル素材を示す斜視図である。
【図５】図５は折り重ね処理途中のラベル素材を示す斜視図である。
【図６】図６は完成した第１実施形態の首掛けラベルを示す斜視図である。
【図７】図７はボトル容器と首掛けラベルを示す斜視図である。
【図８】図８は第１実施形態の首掛けラベルを装着した状態の斜視図である。
【図９】図９はラベル装着状態の側面図である。
【図１０】図１０は第２実施形態の首掛けラベルを製作する積層シート材の平面図である。
【図１１】図１１は第２実施形態の首掛けラベルを製作する積層シート材を示す斜視図である。
【図１２】図１２は第２実施形態のラベル素材を示す斜視図である。
【図１３】図１３は完成した第２実施形態の首掛けラベルを示す斜視図である。
【図１４】図１４は第２実施形態の首掛けラベルを装着した状態の斜視図である。
【図１５】図１５は第３実施形態の首掛けラベルの製作工程を示す概略図である。
【図１６】図１６は第３実施形態の首掛けラベルを示す斜視図である。
【図１７】図１７は折り曲げ処理された第３実施形態の首掛けラベルを示す斜視図である。
【図１８】ラベル自動装着工程を示す概略側面図である。
【発明を実施するための形態】
【００２７】
以下、本発明の実施の形態のいくつかを図面を参照しながら説明する。
【００２８】
[第１実施形態]
図１〜図９に、本発明の一実施形態に係る首掛けラベルが示されている。
【００２９】
図８の斜視図に示すように、この実施形態の首掛けラベル１は、ねじキャップ付きペットボトルなどのボトル容器２の首部に係止装着される。
【００３０】
図６の斜視図に示すように、装着前の首掛けラベル１は、扁平な矩形シートとして後述のように製作される。首掛けラベル１の中央部には、ボトル容器２に対する係止装着部３が備えられると共に、長手方向の一端側にＩＣタグ部４を埋設装備したＲＦＩＤ識別用タグ部５が備えられている。この実施形態の首掛けラベル１には、例えば、キャンペーンやキャッチコピー等が印刷されていると共に、賞味期限等の可変情報が印刷されている。なお、説明の便宜上、以降の説明において、首掛けラベル１の長辺に沿う方向を前後方向、短辺に沿う方向を左右方向あるいは横方向と呼称することとする。
【００３１】
前記係止装着部３には、略台形の一対の第１切込みａが、ボトル容器２におけるキャップ６の直径よりも十分大きい一定の前後間隔をもって対向して形成されると共に、前後の第１切込みａの左右中央部位を繋ぐ第２切込みｂが形成され、かつ、第２切込みｂから左右外方に大きく離れた位置に、横外方に向けて突出湾曲する一対の補助切込みｃが形成されている。また、各第１切込みａの左右端とラベル左右端とに亘ってミシン目からなる第１折れ線ｄが横向きに形成されると共に、第１切込みａの角部と各補助切込みｃの両端に亘ってミシン目からなる第２折れ線ｅが形成されている。
【００３２】
ここで、第１切込みａ、第２切込みｂ及び補助切込みｃでそれぞれ囲まれた部位が、補助切込みｃ側を基部とし、第２切込みｂを遊端辺とする左右一対の係止舌片７とされ、後述のように、ボトル容器２への止着機能を発揮する。
【００３３】
ＲＦＩＤ識別用タグ部５のＩＣタグ部４は、ＩＣチップ４ａとアンテナ線４ｂで構成されており、外部の入出力装置（リーダライタ）との間で無線による各種情報の入出力が可能である。
【００３４】
この実施形態に係る首掛けラベル１は、以上のように構成されている。この首掛けラベル１のボトル容器２への装着に際しては、先ず、図７中に示すように、ＲＦＩＤ識別用タグ部５と、これと反対側のラベル端部１ａを、第１折れ線ｄを介して略直角に上方へ折曲げ起立させる。この折曲げに伴って、第１切込みａで囲まれた略台形の部位が、ＲＦＩＤ識別用タグ部５及びラベル端部１ａと一体に下方に折り出され、前後一対の姿勢保持舌片８として下方に向けて突出形成されることになる。
【００３５】
この状態で首掛けラベル１を、その第２切込みｂの前後中央部位をボトル容器１のキャップ６に押しつけながら押し下げてゆくと、第１切込みａ、第２切込みｂ及び補助切込みｃで囲まれた左右一対の係止舌片７がキャップ６との当接によって相対的に上方へ押し上げ変形され、図８の斜視図及び図９の側面図に示すように、キャップねじ込み装着用としてボトル首部に外嵌固着された固定リング部９の下端段差に、各係止舌片７の遊端辺が係止することで、首掛けラベル１が自由に上方へ抜け外れない状態がもたらされる。
【００３６】
なお、係止舌片７の基部に位置する補助切込みｃは、係止舌片７が上方に変形される際の基部の湾曲変形を容易にする機能を発揮する。
【００３７】
また、上記のように前後の係止舌片７がボトル容器２における首部に係止された状態では、前後一対の姿勢保持舌片８の下端が、ボトル容器２における上部絞り込み部位の外周面に当接し、これによって止着した首掛けラベル１が傾くことが防止される。
【００３８】
このようにしてボトル容器２における首部に係止装着された首掛けラベル１は、一定の姿勢に安定保持され、ＲＦＩＤ識別用タグ部５が、ボトル容器２の上端近傍、すなわち、充填された内容物（液体）よりも高い位置において、小径のキャップ装着部位から外方に大きく離れて起立することになる。これによって、ボトル容器２の内容物や金属製である場合のボトル容器２自体による電波障害を受けることなく、的確に情報の無線伝達を行うことが可能となる。
【００３９】
次に、上記首掛けラベル１の製作工程について説明する。
【００４０】
図１に、首掛けラベル１の製作工程の概略が示されている。首掛けラベル１は、帯状の第１素材シート１１と第２素材シート１２との間に、帯状のＲＦＩＤシート１３を挟込み積層して構成される。
【００４１】
第１素材シート１１は、表面（図１では下面）に所望の印刷ｐが施された表面シート１１ａが、剥離シートｓ１に粘着層１１ｂを介して貼付けられたロール巻き状態で供給され、第２素材シート１２は、剥離紙１２ａが剥離シートｓ２に粘着層１２ｂを介して貼付けられたロール巻き状態で供給され、また、ＲＦＩＤシート１３は、ＩＣタグ部４をシート長手方向に一定ピッチで組み付けたロール巻き状態で供給される。ＲＦＩＤシート１３は、ＩＣタグ部４が露出していてもよいし、埋め込まれていてもよい。
【００４２】
剥離シートｓ１を剥離した第１素材シート１１と、剥離シートｓ２を剥離した第２素材シート１２との間にＲＦＩＤシート１３を挟み込んで圧着ローラ１４で接合し、剥離紙１２ａを最下層とした積層シート材１５を形成し、形成した積層シート材１５を裁断装置１６に送り込んで所定のカット処理を施す。このカット処理によって、一定ピッチで後述するラベル素材１７の外形裁断が行われると共に、ラベル素材１７ごとに、切込み形成用の裁断加工と折れ線形成用のミシン目加工がなされる。
【００４３】
この裁断処理は、最下層の剥離紙１２ａに裁断が及ばないハーフカット加工であり、裁断装置１６から送り出された積層シート材１５から、各ラベル素材１７を囲む梯子状の不要部分１５´が剥離除去され、その後、不要部分１５´が除去された積層シート材１５Ａがロール状に巻き取られてユーザーに提供される。
【００４４】
裁断処理を終え不要部分が除去された積層シート材１５Ａの一部が、図２の平面図と、図３の斜視図に示されており、積層シート材１５Ａの剥離紙１２ａから剥離したラベル素材１７が、図４の斜視図に示されている。積層シート材１５Ａの剥離紙１２ａ上には、所定の形状に裁断（ハーフカット）されたラベル素材１７が貼付け保持されており、ユーザーがラベル素材１７を１枚ずつ剥離紙１２ａから剥離して首掛けラベル１に仕上げて使用する。
【００４５】
図示するように、ラベル素材１７は、左右中央に設けたミシン目からなる中央折れ線ｆを中心にして左右対称な表層部１７ａと裏層部１７ｂに区分されている。表層部１７ａ及び裏層部１７ｂのそれぞれに、前記第１切込みａ、第２切込みｂ、補助切込みｃ、第１折れ線ｄ、及び、第２折れ線ｅが、中央折れ線ｆを中心として左右対称に形成されている。また、表層部１７ａにのみＩＣタグ部４が埋設されている。
【００４６】
ユーザーに提供されたロール状の積層シート材１５Ａは、入力装置に通して、必要な枚数のラベル素材１７に賞味期限などの可変情報を印刷すると共に、必要な情報をＩＣタグ部４にエンコードする。その後、ラベル素材１７を、剥離紙１２ａから剥離し、図５に示すように、中央折れ線ｆを介して裏側に折り返し、表層部位１７ａと裏層部位１７ｂとを、それぞれの裏面同士を粘着層１２ｂによって貼り合わせることで、図６に示す首掛けラベル１に仕上げる。
【００４７】
このように剥離紙１２ａから剥離したラベル素材１７を、折り返し貼り合せて二つ折り積層構造にするので、ラベル素材１７を薄くすることで、剥離紙１２ａを含めた積層シート材１５Ａを取扱い容易な薄いものにしながら、二つ折り積層構造のラベルに仕上げた状態では、必要な強度や剛性を備えた厚さにすることができる。
【００４８】
また、積層シート材１５Ａは、ユーザーへロール状で提供されるので、ラベルを枚葉で提供する場合に比較して搬送や管理が容易となる。
【００４９】
更に、ユーザーは、ロール状の積層シート材１５Ａを入力装置に通して、必要な印刷を行うと共に、必要な情報をＩＣタグ部４にエンコードすることができ、枚葉のラベルを１枚ずつ順送り供給して入力する場合に比べて入力処理が容易となる。
【００５０】
また、第１素材シート１１の表面シート１１ａの印刷ｐとして、例えば、キャンペーンやキャッチコピー等の印刷を施すことによって、店頭で見る消費者に対してアイキャッチ効果や訴求効果をもたらすことができるため、宣伝広告効果を高めると共に、販売促進を図ることができる。
【００５１】
首掛けラベル１は、ボトル容器２の首部に係止装着されるので、ボトル容器２に貼着するラベルに比べて、容易にボトル容器２から外すことができる。これによって、ボトル容器２を購入した消費者は、購入後に、首掛けラベル１を、ボトル容器２から容易に外すことができ、ボトル容器２のデザイン性を損なうことがない。
【００５２】
更に、例えば、期間限定で行われる短期間のキャンペーンなどの際に、ボトル容器２に貼着するラベルのようにラベルを貼り替えるといった必要がなく、ボトル容器２に装着するラベルを交換すればよく、対応が容易である。
【００５３】
[第２実施形態]
図１０〜図１４に、本発明の別の実施形態に係る首掛けラベル１が示されている。
【００５４】
この実施形態の首掛けラベル１は、前記係止装着部３の仕様が、上記第１実施形態と異なっている以外、その製作工程及び使用手順は第１実施形態と同様であり、対応する部分には、同一の参照符号を付す。
【００５５】
この実施形態においては、図１０の平面図及び図１１の斜視図に示すように、第１実施形態における直線状の１本の第２切込みｂに代えて、湾曲された左右一対の第２切込みｇが、キャップ６の直径より小さい横幅の太鼓形に形成されると共に、第１実施形態における補助切込みｃが省略された形態となっている。
【００５６】
これによると、剥離紙１２ａからラベル素材１７を剥がすことによって、太鼓形の部分が剥離紙１２ａに残り、剥がしたラベル素材１７（図１２参照）を、裏側に二つ折りして積層接着することで、図１３の斜視図に示すように、係止装着部３の中央に太鼓形の開口２１を備えた首掛けラベル１が仕上がる。
【００５７】
従って、この首掛けラベル１においては、太鼓形開口２１の左右に、遊端縁が凹入湾曲した一対の係止舌片７を備えた係止装着部３が形成されることになる。第１実施形態の場合と同様に、ＲＦＩＤ識別用タグ部５とこれに対向するラベル端部１ａを上方に折り曲げた首掛けラベル１を、ボトル容器２に上方から押付け挿嵌することで、図１４の斜視図に示すように、係止舌片７を固定リング９の下端段差に係止すると共に、姿勢保持舌片８をボトル外周面に当接支持させることになる。これによって、ＲＦＩＤ識別用タグ部５をボトル容器２から離れた位置で起立させた首掛けラベル１を、一定位置及び姿勢に安定して係止保持することができる。
【００５８】
その他の構成及び効果は、上記第１実施形態と同様である。
【００５９】
[第３実施形態]
図１５〜図１７に、本発明に係る首掛けラベル１の第３実施形態が示されている。
【００６０】
この実施形態では、第２実施形態で示した首掛けラベル１と形状仕様が略同様な首掛けラベル１を、異なった製作工程でもって形成したものであり、その製作工程の概略が図１５に示されている。
【００６１】
この実施形態の首掛けラベル１も、第１実施形態及び第２実施形態と同様に、帯状の第１素材シート３１と第２素材シート３２との間に、帯状のＲＦＩＤシート３３を挟込み積層して構成される。
【００６２】
第１素材シート３１は、表面（図１５では下面）に所望の印刷ｐ１が施された表面シート３１ａが、剥離シートｓ１に粘着層３１ｂを介して貼付けてロール巻きされた状態で供給され、第２素材シート３２は、表面（図１５では右面）に所望の印刷ｐ２が施された裏面シート３２ａが、剥離シートｓ２に粘着層３２ｂを介して貼付けてロール巻きされた状態で供給され、また、ＲＦＩＤシート３３は、ＩＣタグ部４がシート長手方向に一定ピッチで組み付けられロール巻き状態で供給される。
【００６３】
剥離シートｓ１を剥離した第１素材シート３１と、剥離シートｓ２を剥離した第２素材シート３２との間にＲＦＩＤシート３３を挟み込んで圧着ローラ３４で接合し、裏面シート３２ａを最下層とした積層シート材３５を形成し、形成した積層シート材３５を裁断装置３６に送り込んで所定のカット処理を施す。このカット処理によって、一定ピッチで首掛けラベル１の外形裁断が行われると共に、ラベルごとに、切込み形成用の裁断加工と折れ線形成用のミシン目加工がなされる。
【００６４】
この裁断処理は、最下層の裏面シート３２ａにまで裁断が及ぶフルカット加工であり、裁断装置３６からは図１６の斜視図に示される首掛けラベル１が１枚ずつ排出され、これが回収容器３７に積層回収されてユーザーに提供される。
【００６５】
積層状態でユーザーに提供された首掛けラベル１は、回収容器３７の下端取出し口からから１枚ずつ繰り出して入力装置に順次供給し、賞味期限などの可変情報を必要に応じて印刷すると共に、必要な情報をＩＣタグ部４にエンコードする。情報をエンコードした首掛けラベル１は、図１７の斜視図に示すように、折り曲げ処理を施した後、上記した手順でボトル容器２に係止装着する。
【００６６】
この実施形態によれば、上記の第１実施形態や第２実施形態のように、剥離紙１２ａからラベル素材１７を剥がして二つ折りして貼り合せる必要がない。
【００６７】
なお、ボトル容器２への首掛けラベル１の装着に伴うラベル折り曲げ処理、及び、ボトル容器１へのラベル押付け処理は、基本的にはユーザーが手動で行うものとしているが、以下のような装置で自動化を図ることも可能である。
【００６８】
図１８に、自動組み付け装置の概略が示されている。
【００６９】
先ず、図１８（ａ）に示すように、１枚の首掛けラベル１を水平姿勢で供給して、前記第１折れ線ｄの内側箇所を上下に開閉する一対のチャック機構４０で把持する。この時、チャック機構４０の外側近傍で首掛けラベル１より下方となる所定位置に折曲げローラ４１が配備されている。
【００７０】
次に、図１８（ｂ）に示すように、チャック機構４０を駆動下降、あるいは、折曲げローラ４１を駆動上昇させることで、首掛けラベル１のＲＦＩＤ識別用タグ部５とこれに対向するラベル端部１ａを上方に折り曲げる。なお、ＲＦＩＤ識別用タグ部５及びラベル端部１ａの上方への折り曲げに伴う姿勢保持舌片８の下方への突出を許容するようにチャック機構４０を構成しておく必要がある。
【００７１】
次いで、折り曲げた首掛けラベル１を把持したチャック機構４０を、ボトル容器２の上まで移動させ、あるいは、折り曲げた首掛けラベル１を把持したチャック機構４０の下までボトル容器２を移動させ、その後、チャック機構４０を駆動下降、あるいは、ボトル容器２を駆動上昇させることで、図１８（ｃ）に示すように、ボトル容器２の首部に首掛けラベル１を係止装着する。その後、チャック機構４０を開放して首掛けラベル１から離脱させる。
【００７２】
［その他の実施形態］
本発明は、以下のような形態で実施することもできる。
【００７３】
（１）首掛けラベル１の係止舌片７を、ボトル容器２における首部の周方向の３箇所以上の複数個所に作用するようにしても良い。
【００７４】
（２）係止舌片７による係止のみによって首掛けラベル１の姿勢が確保できる場合は、姿勢保持舌片８を省略してもよい。
【００７５】
（３）首掛けラベル１の形状は矩形のみならず、円形、楕円形、三角形、等、任意に選択することができる。
【符号の説明】
【００７６】
１            首掛けラベル
２            ボトル容器
３            係止装着部
４            ＩＣタグ部
５            ＲＦＩＤ識別用タグ部
６            キャップ
７            係止舌片
８            姿勢保持舌片
１２ａ        剥離紙
１５ａ        積層シート材
１７          ラベル素材
【図１】
2020027126.tif 000003
【図２】
2020027126.tif 000004
【図３】
2020027126.tif 000005
【図４】
2020027126.tif 000006
【図５】
2020027126.tif 000007
【図６】
2020027126.tif 000008
【図７】
2020027126.tif 000009
【図８】
2020027126.tif 000010
【図９】
2020027126.tif 000011
【図１０】
2020027126.tif 000012
【図１１】
2020027126.tif 000013
【図１２】
2020027126.tif 000014
【図１３】
2020027126.tif 000015
【図１４】
2020027126.tif 000016
【図１５】
2020027126.tif 000017
【図１６】
2020027126.tif 000018
【図１７】
2020027126.tif 000019
【図１８】
2020027126.tif 000020